(57)【特許請求の範囲】
【請求項１】
コネクタであって、
第１のポートと第２のポートとを有するケージと、
前記ケージに配置され且つ第１の面を有するハウジングであり、前記第１の面上に第１の突起部及び第２の突起部を有し、前記第１の突起部が前記第１のポートと位置合わせされ、前記第２の突起部が前記第２のポートと位置合わせされる、ハウジングと、
前記第１の面上に配置され且つ前記ケージに電気的に結合されるように構成される垂直な壁であって、前記第１の突起部と位置合わせされた第１の穴と前記第２の突起部と位置合わせされた第２の穴とを有する垂直な壁と、
を備えるコネクタ。
【請求項２】
前記ケージが頂部と底部とを有し、前記垂直な壁が前記頂部と前記底部との間に実質的に延びる、請求項１に記載のコネクタ。
【請求項３】
前記コネクタがＵ字ブレースをさらに含み、該Ｕ字ブレースが前記第１の突起部と前記第２の突起部との間に配置される、請求項２に記載のコネクタ。
【請求項４】
前記Ｕ字ブレースが折り曲げられた区域を含む、請求項３に記載のコネクタ。
【請求項５】
前記コネクタが、前記Ｕ字ブレースの中に挿入されるように構成されるプラグを含み、該プラグが、前記折り曲げられた区域と係合するように構成される、請求項４に記載のコネクタ。
【請求項６】
前記垂直な壁が前記Ｕ字ブレースと係合するフランジを含む、請求項５に記載のコネクタ。
【発明の詳細な説明】
【技術分野】
【０００１】
本出願は、２００９年１０月２６日に出願された米国特許仮出願第６１／２５５，０７２号及び２００９年１０月２７日に出願された米国特許仮出願第６１／２５５，３６６号に基づく優先権を主張するものであり、両方ともそれらの全体が参照により本明細書に組み込まれる。
【０００２】
本発明は、コネクタの分野に関し、より具体的には高いデータ転送速度の能力を有するＩ／Ｏコネクタの分野に関する。
【発明の概要】
【発明が解決しようとする課題】
【０００３】
シールドされたコネクタは、容認可能な電磁干渉（ＥＭＩ）及び信号性能を提供するために、外部用途（例えば、コネクタが、それが設置されるシステムの外部へのインターフェースとして働く用途）で用いられている。注目されている１つの問題は、シグナリングの周波数が増加するのに伴って、システムが同様の距離にわたって機能するために付加的な電力がしばしば必要とされることである。そのうえ、より高いシグナリング周波数の使用は、これらのより高い周波数での外部ノイズに対するコネクタの感度を増加させる傾向がある。加えて、コネクタの中の端子は、放射体として作用してＥＭＩを放出する傾向がある。ＥＭＩは、一般に注意深く制御される必要があるので、シールドされたコネクタは多くの困難な問題に直面する。したがって、或る人々は、シールドされたコネクタ設計の改善を歓迎するであろう。
【課題を解決するための手段】
【０００４】
コネクタは、２つ３つの側面の周りと頂部に延び、且つコネクタの前面に第１のポートと第２のポートを画定するＵ字ブレースを含む、ケージを含む。第１のポートと第２のポートとの両方は、前面から延びてコネクタの内部に設置されるハウジングの突起部を分離する。垂直な壁は、両方の突起部上に配置されてもよく、且つケージと３つの側面で係合するように構成されてもよい。Ｕ字ブレースは、第１の壁と第２の壁とを含んでもよく、折り曲げられた区域は、前面に隣接して第１の壁と第２の壁との両方の上に配置されてもよい。良好な電気絶縁を提供するように、２つの折り曲げられた区域の間に中央プラグを配置することができる。一実施の形態では、コネクタは、両方の垂直な壁の機能部と折り曲げられた区域の機能部との両方を含むことができる。別の実施の形態において、コネクタは、これらの機能部のうちの１つだけを含むことができる。
【０００５】
本発明は単なる例として例証され、同様の参照符号が同様の要素を示す添付の図面に限定されない。
【図面の簡単な説明】
【０００６】
【図１】レセプタクルの実施の形態の斜視図である。
【図１Ａ】図１に示されたレセプタクルの断面の斜視図である。
【図１Ｂ】図１に示されたレセプタクルの斜視分解図である。
【図２】垂直な壁をともなうハウジングの実施の形態の斜視図である。
【図３】図２に示されたハウジングの正面立面図である。
【図４】ハウジング及びＵ字ブレースの実施の形態の斜視図である。
【図４Ａ】図４で取り上げられた実施の形態の部分分解図である。
【図５】ハウジングと垂直な壁の実施の形態の斜視分解図である。
【図６】図１に示されたレセプタクルの断面の側面立面図である。
【図７】図６に示された断面の拡大側面立面図である。
【図８】Ｕ字ブレースの実施の形態の斜視図である。
【発明を実施するための形態】
【０００７】
以下の詳細な説明は、例示的な実施の形態を説明するものであって、明確に開示された組合せに限定されることを意図しない。したがって、他の方法で記載しない限り、本明細書で開示される特徴は、簡潔にする目的でそれ以外に示されなかった付加的な組合せを形成するために一緒に組み合わされてもよい。
【０００８】
図１〜図８は、プリント基板（ＰＣＢ）１５上に設置されるコネクタ１０の中に組み込まれてもよい種々の特徴を例証する。理解できるように、コネクタ１０は、第１のポート２１ａと第２のポート２１ｂとを画定する一助となるカバー２５、底板３４、及びＵ字ブレース４０を含むケージ２０を含む。コネクタ１０は、したがって、積み重ねコネクタ構成を示す。
【０００９】
理解できるように、このような設計に存在する１つの問題は、コネクタ１０からのＥＭＩの放出を最小にしながら外部の信号及びノイズからシールドするという要望である。ケージ２０を隔離し且つシールドとして働く能力を改善する一助とするために、ハウジング８０の前面８１の付近に垂直な壁５０が配置される。垂直な壁５０は、垂直な壁５０を前面上に又は前面の付近に配置することができるように、突起部８５（各突起部は１つ又は複数のカードスロットを含む）上に設けられる穴５２を有し、保持タブ５３がハウジング８０のノッチ８７と係合する。これは、スプリアス信号（例えばノイズ）が入ること及びコネクタ１０の端子１０５上で搬送される信号に干渉することを防ぐ一助となると共に、端子からのスプリアス信号（例えばＥＭＩ）の放射を減少させる。シールドをさらに改善するために、垂直な壁５０は、Ｕ字ブレース４０のショルダ４９と係合するフランジ５４を含むことができる。したがって、一実施の形態では、各ポート２１ａ、２１ｂに対して実質的に連続したエンクロージャが存在する。垂直な壁のフランジ５４はチャネル９１の中に配置され、一方、ショルダ４９は溝９２の中に配置されることに注目されたい。このタイプの構成は、フランジ５４がショルダ４９にしっかりと係合することを保証する一助となる。
【００１０】
或る設計に対して、垂直な壁５０は必要ではない場合があり、コネクタ１０の前面２０ａでのシールドを改善することによってシールドの改善を達成することができる。Ｕ字ブレース４０はまた、各ポート２１ａ、２１ｂのシールドを助けるために折り曲げられた区域４５を含んでもよい。折り曲げられた区域４５は、シールドとして働くような方法で形成されてもよい中央プラグ６０と係合するように構成される（例えば、中央プラグは、金属で形成されてもよい）。中央プラグ６０は、それらの間にＥＭＩシールドが形成されるように２つの折り曲げられた区域４５の間に配置される。折り曲げられた区域４５を支持する一助とするために、リップ４６は、壁４１、４２に当たることが可能であり、角度のついた区域４７は、リップ４６と折り曲げられた区域４５との間に配置することができる。示されたように、折り曲げられた区域は、実質的にポートの幅全体に延びる。その結果、中央プラグ６０が上側の折り曲げられた区域と下側の折り曲げられた区域との間に挿入されるときに、これは実質的に連続したシールドを形成する。
【００１１】
垂直な壁又はＵ字ブレースのいずれも個々に用いられてもよいが、一実施の形態では、垂直な壁５０と折り曲げられた区域４５を備えたＵ字ブレース５０との両方が同じコネクタに含まれてもよい。こうした組合せは、挿入されたプラグモジュール（図示せず）と個々のポートの壁４１、４２との間の良好な電気接続を保証しながら、ハウジング（及び、示されたように端子が積み重ね構成である場合に、公知のようにウェハの中に配置される場合がある関連する端子１０５）からポートの中に伝送されるＥＭＩエネルギーを減少させるために垂直な壁５０を用いる利点を有する。さらに、折り曲げられた区域は、ポートの外に伝送されるＥＭＩエネルギーの量をさらに減少させるように作用する。
【００１２】
ライトパイプ２２０を含むこともできることに注目されたい。ライトパイプが垂直な壁５０と組み合わせて含まれる場合、ライトパイプが支持回路基板とコネクタ１０の前面２０ａとの間を通ることができるように、垂直な壁５０に穴を設けることができる。さらに、中央プラグ６０はまた、ライトパイプから放出される光を透過するように構成される穴又は領域を含むことができる。
【００１３】
示されたように、単一の積み重ねコネクタが単一の垂直な壁と共に例証される。垂直な壁が２つ又はそれ以上の部分にされる可能性も意図される。さらに理解できるように、組織化されたコネクタ構成では、単一の垂直な壁を各Ｕ字ブレースと共に用いることができる可能性がある。しかしながら、ケージがそのように構成された場合に、複数のハウジングにわたって広がる単一の壁を有することも可能である。２つの積み重ねポートにわたる垂直な壁の示された配置は、既存のケージ設計の大幅な変更を要することなく良好なＥＭＩ性能を保証する利点をもつ。
【００１４】
上述の機能部に加えて、ケージ２０の側部上の穴の数は、コネクタの内外に伝送されるＥＭＩを減少させるために減らすことができる。例えば、示されたように、側部には実質的に穴がない。したがって、改善されたシールドを提供する可能性がある多くの機能部が本明細書で開示される。理解できるように、これらの機能部は、所望のレベルのＥＭＩシールドを提供するように互いに組み合わせて用いることができる。
【００１５】
本明細書で提供される開示は、その好適且つ例示的な実施の形態の観点で機能部を説明する。本開示を精査することで当業者には付属の特許請求の範囲の範囲内及び精神内の多くの他の実施の形態、修正、及び変形が想起されるであろう。
【図１】
0005390023.tif 000002
【図１Ａ】
0005390023.tif 000003
【図１Ｂ】
0005390023.tif 000004
【図２】
0005390023.tif 000005
【図３】
0005390023.tif 000006
【図４】
0005390023.tif 000007
【図４Ａ】
0005390023.tif 000008
【図５】
0005390023.tif 000009
【図６】
0005390023.tif 000010
【図７】
0005390023.tif 000011
【図８】
0005390023.tif 000012